(57)【特許請求の範囲】
【請求項１】
扉の両側の扉枠が天井まで達し、前記扉の木口部に配置されるエッジ材に対向する前記扉枠のエッジ材が床面から天井にまで一連に延びるタイプのトイレブースであって、
前記扉の扉先側の前記エッジ材は、前記扉の木口部に嵌装されるエッジ枠と、前記エッジ枠のブース外方向の端部において軸支されて揺動し、端縁部が前記エッジ枠の端部によって係止される可動曲面板とから成り、前記可動曲面板は、その内側に配設される弾性体によって常時前記扉枠方向に付勢され、緊急時に前記扉が前記ブース外方向に引かれるに伴い、対向する前記扉枠のエッジ材に摺接して押し込まれることによって、前記扉の前記ブース外方向への回動を許容し、
前記扉の少なくとも扉先側のエッジ材は、前記扉を構成するパネルの表面材の端部間に収まるように設置され、また、前記扉を構成するパネルの表面材に被装される化粧樹脂フィルムが前記扉の木口部にまで延長され、前記エッジ材の露出表面の全体又は一部が前記化粧樹脂フィルムにより被覆されていることを特徴とするトイレブース。
【請求項２】
前記扉の上側に天井にまで達する欄間を備える、請求項１に記載のトイレブース。
【請求項３】
前記弾性体は板バネである、請求項１又は２に記載のトイレブース。
【請求項４】
前記弾性体は弾性樹脂である、請求項１又は２に記載のトイレブース。
【発明の詳細な説明】
【技術分野】
【０００１】
本発明は、トイレブースに関するものであり、より詳細には、扉が平時には内方向にのみ開き、緊急時には外方向に開くこともできるトイレブースに関するものである。
【背景技術】
【０００２】
公共施設、商業施設、学校等には、複数連設されたトイレブースが設置される。このトイレブースの多くは扉が内開きであるが、その場合、トイレ使用者が内側から施錠した後、何らかの原因で気を失って床に倒れ、扉がぶつかって内開きできない状態となることが起こり得る。そのような事態に陥った場合は、当該使用者の救出に手間取り、時には手遅れとなることも想定される。そこで、このような緊急時において、扉を外側から迅速に解錠することができるようにするための構成が種々提案されている。
【０００３】
例えば、特許文献１（特開平１０−２８０８１３号公報）には、トイレブース用扉枠のエッジ部に、内方向に移動可能な戸当たり部を設けたトイレブース用扉枠が開示されている。しかし、この提案に係るトイレブース用扉枠は、扉と扉枠の高さ寸法がほぼ同じであることを想定したものであり、最近広く採用されるようになってきている、扉（扉エッジ）は従来通りの２ｍ程度であって、扉枠が天井にまで達するタイプのトイレブース（図１、２参照）に適用するには問題がある。
【０００４】
即ち、扉枠が天井にまで達するタイプのトイレブースに適用した場合、緊急時に外開きにすると、閉扉時に扉エッジが当たらない扉よりも上側の扉枠エッジ（戸当たり部）部分には、扉エッジによる作用が及ばないため、扉枠エッジが変形したりして、その内方向移動動作が正常に行われなくなるおそれがあるのである。また、この提案に係るトイレブース用扉枠の場合、アルミニウム製のエッジ部材及び戸当たり部の多くの部分が露出することになるので、見た目がよくないという問題もある。
【先行技術文献】
【特許文献】
【０００５】
【特許文献１】特開平１０−２８０８１３号公報
【発明の概要】
【発明が解決しようとする課題】
【０００６】
上述したように、従来のトイレブース用扉枠は、扉枠が天井にまで達するタイプのトイレブースに適用した場合、緊急時に外開きすると、扉枠エッジに、扉エッジに当たっている部分と当たっていない部分とができることにより、変形を起こしたりして正常な内方向移動動作が行われなくおそれがあった。また、この提案に係るトイレブース用扉枠の場合、アルミニウム製のエッジ部材及び戸当たり部の多くが露出し、見た目が損なわれるという問題もあった。
【０００７】
そこで本発明は、このような問題のない、即ち、扉枠が天井にまで達するタイプのトイレブースに適用した場合において、緊急時に外開きしても、緊急時に動作するエッジ部機構が正常に動作し、また、その部分が露出しないために見栄えが損なわれるおそれがないトイレブースを提供することを課題とする。
【課題を解決するための手段】
【０００８】
上記課題を解決するための請求項１に係る発明は、扉の両側の扉枠が天井まで達し、前記扉の木口部に配置されるエッジ材に対向する前記扉枠のエッジ材が床面から天井にまで一連に延びるタイプのトイレブースであって、
前記扉の扉先側の前記エッジ材は、前記扉の木口部に嵌装されるエッジ枠と、前記エッジ枠のブース外方向の端部において軸支されて揺動し、端縁部が前記エッジ枠の端部によって係止される可動曲面板とから成り、前記可動曲面板は、その内側に配設される弾性体によって常時前記扉枠方向に付勢され、緊急時に前記扉が前記ブース外方向に引かれるに伴い、対向する前記扉枠のエッジ材に摺接して押し込まれることによって、前記扉の前記ブース外方向への回動を許容し、
前記扉の少なくとも扉先側のエッジ材は、前記扉を構成するパネルの表面材の端部間に収まるように設置され、また、前記扉を構成するパネルの表面材に被装される化粧樹脂フィルムが前記扉の木口部にまで延長され、前記エッジ材の露出表面の全体又は一部が前記化粧樹脂フィルムにより被覆されていることを特徴とするトイレブースである。
【００１０】
一実施形態においては、前記扉の上側に、天井にまで達する欄間を備えるものとされる。
【００１１】
一実施形態においては、前記弾性体は板バネとされ、他の実施形態においては、前記弾性体は弾性樹脂とされる。
【発明の効果】
【００１２】
本発明は上述したとおりであって、本発明に係るトイレブースによれば、可動曲面板が扉の小口部に設置されているので、扉枠が天井にまで達するタイプのトイレブースに適用した場合においても、緊急時に外開きした際に可動曲面板に加わる外力は、その全長に亘って均一となるので、可動曲面板の正常動作が保持されるという効果があり、また、各エッジ材が隠蔽されて目立たなくなるため、エッジ材が目立って見た目が損なわれることがないという効果がある。
【図面の簡単な説明】
【００１３】
【図１】本発明に係るトイレブースの一実施形態の全体斜視図である。
【図２】本発明に係るトイレブースの他の実施形態の全体斜視図である。
【図３】本発明に係るトイレブースの一実施形態の要部横断面図である。
【図４】図３に示す実施形態の動作を示す要部横断面図である。
【図５】本発明に係るトイレブースの他の実施形態の動作を示す要部横断面図である。
【発明を実施するための形態】
【００１４】
本発明を実施するための形態について、添付図面に依拠して説明する。図１及び図２は、本発明に係るトイレブースのそれぞれ異なる実施形態の全体斜視図であり、そこに示されるように本発明に係るトイレブースは、一般のものと同様に、扉１とその両側の扉枠２、３を備えて構成されるが、特に本発明に係るトイレブースは、扉枠２、３が天井にまで達するタイプのものに実施するのに好適である。図１に示されるものは、扉１の上側が開放されたタイプのものであり、図２に示されるものは、扉１の上側に、天井にまで達する欄間９を備えたものである。
【００１５】
図３〜５は本発明に係るトイレブースの横断面図で、そこに示されるように、本発明に係るトイレブースは、一般のものと同様に、扉１とその両側の扉枠２、３の各対向エッジに、それぞれ対応するエッジ材４〜７を備えて構成される。
【００１６】
エッジ材４〜７のうち扉１の扉先側のエッジ材４は、扉１の木口部に嵌装されるエッジ枠１１と、エッジ枠１１のブース外方向の端部において揺動可能に軸支される可動曲面板１２とから成る。可動曲面板１２は、その内側に配設される弾性体１３によって常時外方に付勢されていて、その端縁部がエッジ枠１１の端部によって係止されている。この可動曲面板１２は、後述するように、緊急時に扉１がブース外方向に引かれた際に、対向する扉枠２のエッジ材５に摺接するに伴い、弾性体１３による付勢力に抗して押し込まれて回動することで、扉１のブース外方向への回動を許容する。
【００１７】
図３、４に示される弾性体１３は板バネその他のバネ素材であり、図５に示される弾性体１３は、帯状の弾性樹脂体である。
【００１８】
扉１の扉先側のエッジ材４とこれに対応する扉枠２のエッジ材５は、扉１及び扉枠２を構成するパネル表裏の表面材１５、１６の端部間に収まるように設置することとする（図３〜５参照）。そのようにした場合は、エッジ材４、５が表面材１５、１６の端部間に隠れ、開扉時以外は露出しないので、エッジ材４、５が目立って見た目が悪くなることがない。他方のエッジ材６、７についても同様の構成とすることができる。
【００１９】
更に好ましくは、扉１並びに扉枠２を構成するパネル表裏の表面材１５、１６に化粧樹脂フィルム１７を被装し、且つ、この化粧樹脂フィルム１７を延長して木口部に回り込ませて、エッジ材４、５の露出表面の全体又は一部を被覆することとする（図３参照）。このような構成とすることにより、エッジ材４、５が確実に隠蔽されて露出しなくなるので、アルミニウム製のエッジ材４、５が露出して見た目が損なわれることが皆無となる。エッジ材６、７についても、同様にして化粧樹脂フィルム１７で被覆することが好ましい。  
【００２０】
扉１には、一般のトイレブースと同様に、ブースの内側からスライド操作するスライドロック１９が取り付けられ、その外側に、引き手２０が取り付けられる。そして、扉枠２には、スライドロック１９を受けるロック受け２１が設置される。引き手２０は、緊急時に扉１の外側からスライドロック１９を解錠可能にするための手段を備える。このスライドロック１９等の施錠・解錠手段として種々の構成が知られているが、そのうちの任意の構成を採用することができる。
【００２１】
上記構成の本発明に係るトイレブースの場合、トイレ使用者が内側から施錠した後、何らかの原因で気を失って転倒し、扉１にぶつかって扉１を内開きできなくなったような場合、先ず、ブースの外側から引き手２０を操作してスライドロック１９を解錠する。その後、引き手２０を持って扉１を外側方向に引くと、エッジ材４の可動曲面板１２が対向するエッジ材６の外端部に摺接するので、更に強く引くと、可動曲面板１２が対向するエッジ材６の外端部から反作用を受け、弾性体１３の付勢力に抗して押し込まれる。かくして、可動曲面板１２が内方に回動することで抵抗がなくなり、扉１はブース外方向に開扉可能となり、以てトイレ使用者の救出が可能となる。
【００２２】
本発明に係るトイレブースの構成は、扉１と扉枠２、３の高さが同じであるタイプのものに適用可能であることはもちろん、扉枠２、３が天井にまで達するタイプのもの（図１参照）、並びに、更に扉１の上側の空間部が天井にまで達する欄間９で閉塞されたタイプのもの（図２参照）に適用するのに好適である。即ち、本発明に係るトイレブースの場合は、可動曲面板１２が扉１の小口部に設置されているので、扉枠２、３が天井にまで達するタイプのトイレブースに適用した場合においても、緊急時に外開きにした際に可動曲面板１２に加わる外力は、その全長に亘って均一となるので、常に可動曲面板１２の正常動作が確保される。
【００２３】
また、本発明に係るトイレブースの場合は、エッジ材４〜７が隠蔽されて目立たないため、エッジ材４〜７が目立って見た目が損なわれることがない。
【符号の説明】
【００２４】
１          扉
２、３      扉枠
４〜７     エッジ材
９          欄間
１１        エッジ枠
１２        可動曲面板
１３        弾性体
１５、１６  表面材
１７        化粧樹脂フィルム
１９        スライドロック
２０        引き手
２１        ロック受け
【図１】
0006411406.tif 000002
【図２】
0006411406.tif 000003
【図３】
0006411406.tif 000004
【図４】
0006411406.tif 000005
【図５】
0006411406.tif 000006